(57)【要約】【課題】表裏一対の出力画像を形成する場合に、これら表裏に対応する各原稿面の地色に応じて適切な地色補正を実行できる画像読取装置を提供すること。【解決手段】本発明によれば、第２の原稿面に対して得られた第２の値が、第１の原稿面に対して得られた第１の値を含む所定範囲内の値である場合には、第１の判定手段により第１の原稿面の画像データの地色を補正すると判定された場合には、第２の原稿面の画像データの地色を補正すると判定される。その一方で、第１の判定手段により第１の原稿面の地色を補正しないと判定された場合には、第２の原稿面の画像データの地色を補正しないと判定される。よって、両原稿面の画像データに対して地色補正をかけるか、又は、両原稿面の画像データに地色補正をかけないかのいずれかとされ、第１の原稿面の出力画像の背景色と第２の原稿面の出力画像の背景色とが不自然に異なることを防止できる。【選択図】図３
2011077880.tif 000002
【特許請求の範囲】
【請求項１】
原稿を搬送する搬送手段と、その搬送手段により搬送される原稿の原稿面を読み取り可能な読取手段とを備え、前記読取手段により原稿面を読み取ることによって該原稿面の画像データを得る画像読取装置であって、
前記読取手段によって第１の原稿面を読み取る場合に、該第１の原稿面における予め規定されている領域の読み取りにより得られた画像データに基づき、該第１の原稿面の地色を示す値を第１の値として取得する第１の値取得手段と、
前記第１の値と所定の閾値とに基づき、前記第１の原稿面の画像データの地色を補正するか否かを判定する第１の判定手段と、
前記第１の判定手段により地色を補正すると判定された場合に、前記第１の原稿面の画像データの地色を、前記第１の値に応じた補正値を用いて補正する第１の地色補正手段と、
前記読取手段によって前記第１の原稿面とは異なる第２の原稿面を読み取る場合に、該第２の原稿面における予め規定されている領域の読み取りにより得られた画像データに基づき、該第２の原稿面の地色を示す値を第２の値として取得する第２の値取得手段と、
前記第２の値が、前記第１の値を含む所定範囲内の値であるか否かを判定する第２の判定手段と、
前記第２の値が前記第１の値を含む所定範囲内の値であると前記第２の判定手段により判定された場合に、前記第１の判定手段による判定に基づき、前記第２の原稿面の画像データの地色を補正するか否かを判定する第３の判定手段と、
前記第３の判定手段により地色を補正すると判定された場合に、前記第２の原稿面の画像データの地色を、前記第２の値に応じた補正値を用いて補正する第２の地色補正手段とを備え、
前記第３の判定手段は、前記第１の判定手段により前記第１の原稿面の地色を補正すると判定された場合には、前記第２の原稿面の画像データの地色を補正すると判定し、前記第１の判定手段により前記第１の原稿面の地色を補正しないと判定された場合には、前記第２の原稿面の画像データの地色を補正しないと判定することを特徴とする画像読取装置。
【請求項２】
前記第２の判定手段により、前記第２の値が前記第１の値を含む所定範囲外の値であると判定された場合に、前記第２の値と所定の閾値とに基づき、前記第２の原稿面の画像データの地色を補正するか否かを判定する第４の判定手段と、
前記第４の判定手段により地色を補正すると判定された場合に、前記第２の原稿面の画像データの地色を、前記第２の値に応じた補正値を用いて補正する第３の地色補正手段とを備えていることを特徴とする請求項１記載の画像読取装置。
【請求項３】
前記読取手段は、前記原稿の一面を前記第１の原稿面として読み取り可能な第１の読取手段と、その第１の読取手段とは独立して設けられ、該第１の読取手段により読み取られる前記第１の原稿面の裏面を前記第２の原稿面として読み取り可能な第２の読取手段とから構成されていることを特徴とする請求項１又は２に記載の画像読取装置。
【発明の詳細な説明】
【技術分野】
【０００１】
本発明は、画像読取装置に関するものである。
【背景技術】
【０００２】
スキャナやコピー機などの画像読取装置の中には、原稿の読み取りによって得た画像データ（以下「読取データ」と称す）に対し、該原稿の地色を除去する補正（以下「地色補正」と称す）を行う機能を有するものがある。例えば、特許文献１には、２つの密着センサを用いて原稿の両面を同時に読み取ることができる画像読み取り装置において、両面原稿の地肌の除去（即ち、地色補正）を行うことが記載されている。
【０００３】
かかる地色補正は、読取データから原稿の地色を示す値（以下「地色濃度値」と称す）を求め、得られた地色濃度値が予め定められている閾値以上の値である場合に、読取データの各画素値に、補正係数として（２５５／地色濃度値）を乗じることによって行われる。
【先行技術文献】
【特許文献】
【０００４】
【特許文献１】特開２００３−６０９１１号公報
【発明の概要】
【発明が解決しようとする課題】
【０００５】
ところで、画像読取装置に２つのコンタクトイメージセンサ（以下「ＣＩＳ」と称す）を読取手段として設け、これら２つのＣＩＳによって原稿の両面を各々読み取る場合には、各ＣＩＳの特性の相違（例えば、異なるメーカーのＣＩＳの使用）や、読み取り時における原稿の姿勢（例えば、ＣＩＳに原稿が密着せずに浮いてしまうこと）により生じる読取値（画素値）のばらつき等が原因となり、原稿の地色が両面共に同じ色であるにもかかわらず、表面と裏面とで異なる地色濃度値が得られてしまうことがある。
【０００６】
図５は、原稿の表面と裏面とを異なるＣＩＳによって各々独立して読み取る場合に生じ得る問題点を説明するための模式図である。図５（ａ）に示すように、地色補正を行うか否かを決めるための閾値Ｄｔｈ付近の色が両面の地色となっている原稿の各面を、それぞれ異なるＣＩＳによって読み取った場合に、表面に対して、閾値Ｄｔｈ以上の地色濃度値Ｄ２が得られる一方で、裏面に対して、閾値未満の地色濃度値Ｄ１が得られることがある。かかる場合、表面の読取データに対しては地色補正が行われるが、裏面の読取データに対しては地色補正が行われないことになり、その結果、図５（ｂ）に示すように、原稿の地色が両面共に同じ色であるにもかかわらず、印刷装置や表示装置に出力される出力画像の背景色が表面と裏面とで異なってしまうという問題点が生じる。
【０００７】
なお、搬送経路上で原稿を反転させることにより１つのＣＩＳで原稿の両面を読み取る場合や、片面原稿から両面印刷を行うために２枚の原稿の各表面を１つのＣＩＳでそれぞれ読み取る場合であっても、読み取りを行う毎に原稿の姿勢などが原因となって読取値にばらつきが生じることがあるため、先に読み取られた読取データから得られる地色濃度値と、後に読み取られた読取データから得られる地色濃度値とが異なる場合があり、かかる場合にも上述した問題点と同様の問題点が生じる。
【０００８】
本発明は、上述した問題点を解決するためになされたものであり、表裏一対の出力画像を形成する場合に、これら表裏に対応する各原稿面の地色に応じて適切な地色補正を実行できる画像読取装置を提供することを目的としている。
【課題を解決するための手段】
【０００９】
この目的を達成するために、本発明の画像読取装置は、原稿を搬送する搬送手段と、その搬送手段により搬送される原稿の原稿面を読み取り可能な読取手段とを備え、前記読取手段により原稿面を読み取ることによって該原稿面の画像データを得るものであって、前記読取手段によって第１の原稿面を読み取る場合に、該第１の原稿面における予め規定されている領域の読み取りにより得られた画像データに基づき、該第１の原稿面の地色を示す値を第１の値として取得する第１の値取得手段と、前記第１の値と所定の閾値とに基づき、前記第１の原稿面の画像データの地色を補正するか否かを判定する第１の判定手段と、前記第１の判定手段により地色を補正すると判定された場合に、前記第１の原稿面の画像データの地色を、前記第１の値に応じた補正値を用いて補正する第１の地色補正手段と、前記読取手段によって前記第１の原稿面とは異なる第２の原稿面を読み取る場合に、該第２の原稿面における予め規定されている領域の読み取りにより得られた画像データに基づき、該第２の原稿面の地色を示す値を第２の値として取得する第２の値取得手段と、前記第２の値が、前記第１の値を含む所定範囲内の値であるか否かを判定する第２の判定手段と、前記第２の値が前記第１の値を含む所定範囲内の値であると前記第２の判定手段により判定された場合に、前記第１の判定手段による判定に基づき、前記第２の原稿面の画像データの地色を補正するか否かを判定する第３の判定手段と、前記第３の判定手段により地色を補正すると判定された場合に、前記第２の原稿面の画像データの地色を、前記第２の値に応じた補正値を用いて補正する第２の地色補正手段とを備え、前記第３の判定手段は、前記第１の判定手段により前記第１の原稿面の地色を補正すると判定された場合には、前記第２の原稿面の画像データの地色を補正すると判定し、前記第１の判定手段により前記第１の原稿面の地色を補正しないと判定された場合には、前記第２の原稿面の画像データの地色を補正しないと判定する。
【００１０】
なお、上記の画像読取装置において、「原稿の原稿面を読み取り可能な読取手段」は、１の読取手段に限らず、２以上の読取手段を含むことを意図している。また、上記の画像読取装置において、読取手段によって読み取られる「第１の原稿面」及び「第２の原稿面」は、同一原稿における異なる原稿面（即ち、１枚の原稿における表面及び裏面）であることと、異なる２枚の原稿の各々一面であることとの両方を含むことを意図している。
【００１１】
また、上記の画像読取装置は、前記第２の判定手段により、前記第２の値が前記第１の値を含む所定範囲外の値であると判定された場合に、前記第２の値と所定の閾値とに基づき、前記第２の原稿面の画像データの地色を補正するか否かを判定する第４の判定手段と、前記第４の判定手段により地色を補正すると判定された場合に、前記第２の原稿面の画像データの地色を、前記第２の値に応じた補正値を用いて補正する第３の地色補正手段とを備えていても良い。
【００１２】
また、上記の画像読取装置は、前記読取手段が、前記原稿の一面を前記第１の原稿面として読み取り可能な第１の読取手段と、その第１の読取手段とは独立して設けられ、該第１の読取手段により読み取られる前記第１の原稿面の裏面を前記第２の原稿面として読み取り可能な第２の読取手段とから構成されていても良い。
【発明の効果】
【００１３】
請求項１記載の画像読取装置によれば、第２の原稿面に対して得られた第２の値（第２の原稿面の地色を示す値）が、第１の原稿面に対して得られた第１の値（第１の原稿面の地色を示す値）を含む所定範囲内の値である場合には、第１の原稿面の画像データの地色を補正するか否かを判定する第１の判定手段による判定結果に応じて、第２の原稿面の画像データの地色を補正するか否かが第３の判定手段によって判定される。具体的に、第１の判定手段により第１の原稿面の画像データの地色を補正すると判定された場合には、第２の原稿面の画像データの地色を補正すると判定される。その一方で、第１の判定手段により第１の原稿面の地色を補正しないと判定された場合には、第２の原稿面の画像データの地色を補正しないと判定される。
【００１４】
よって、第１の原稿面の地色と第２の原稿面の地色とが同一又は所定範囲内で近似する色である場合には、第１の原稿面及び第２の原稿面の両方の画像データに対して地色補正をかけるか、又は、両原稿面の画像データに地色補正をかけないかのいずれかとされるので、第１の原稿面の出力画像の背景色と第２の原稿面の出力画像の背景色とが不自然に異なることを防止できるという効果がある。従って、地色が同一又は所定範囲内で近似する色である第１及び第２の原稿面から表裏一対の出力画像を形成する場合には、両原稿面の地色に応じた自然な出力画像を表裏面に形成することができる。
【００１５】
請求項２記載の画像読取装置によれば、請求項１記載の画像読取装置の奏する効果に加えて、次の効果を奏する。第２の原稿面に対して得られた第２の値が、第１の原稿面に対して得られた第１の値を含む所定範囲外の値である場合には、第４の判定手段により、第２の原稿面の地色を補正するか否かが、第２の値と所定の閾値とに基づいて判定される。
【００１６】
よって、第１の原稿面の地色と第２の原稿面の地色とが所定範囲を超えて異なる場合には、第１の原稿面の画像データに対して地色補正をかけるか否か、及び、第２の原稿面の画像データに対して地色補正をかけるか否かは、それぞれの原稿面の地色に基づいて独立して決定される。それにより、第１の原稿面の地色及び第２の原稿面の地色をそれぞれ生かした出力画像を形成できるという効果がある。従って、地色が所定範囲を超えて異なる第１及び第２の原稿面から表裏一対の出力画像を形成する場合に、両原稿面の地色に応じた自然な出力画像を表裏面に形成することができる。
【００１７】
請求項３記載の画像読取装置によれば、請求項１又は２に記載の画像読取装置の奏する効果に加えて、１枚の原稿の表面と裏面とを各々異なる読取手段で読み取るにもかかわらず、原稿の表面の地色及び裏面の地色にそれぞれ応じた自然な出力画像を表裏面に形成できるという効果がある。
【図面の簡単な説明】
【００１８】
【図１】（ａ）は、本発明の第１実施形態における複合機の主な構成を示す模式図であり、（ｂ）は、（ａ）の複合機の電気回路構成の概略を示すブロック図である。
【図２】複合機のＣＰＵにより実行される両面→両面コピー処理を示すフローチャートである。
【図３】原稿の裏面に対して得られた地色濃度値と、表面に対して得られた地色濃度値と、原稿の各面に対する地色補正の実行の有無との関係を説明するための模式図である。
【図４】第２実施形態の複合機のＣＰＵにより実行される片面→両面コピー処理を示すフローチャートである。
【図５】原稿の表面と裏面とを異なるＣＩＳによって各々独立して読み取る場合に生じ得る問題点を説明するため模式図である。
【発明を実施するための形態】
【００１９】
以下、本発明の好ましい実施形態について、添付図面を参照して説明する。図１（ａ）は、本発明の第１実施形態における複合機１の主な構成を示す模式図である。複合機１は、プリント機能や、コピー機能や、スキャナ機能など、複数の機能を１台に備えた装置であり、本発明の画像読取装置を構成するものである。
【００２０】
図１（ａ）に示すように、複合機１は、フラットベッドスキャナとして機能する原稿載置台２と、その原稿載置台２を覆うカバーであって、給紙トレイ３と排紙トレイ（図示せず）と給紙トレイ３から排紙トレイまで図示されない搬送経路に沿って原稿Ｐを搬送させる自動原稿搬送機構であるオート・ドキュメント・フィーダ４とを有する原稿カバー５と、を含んで構成される。なお、以下では、オート・ドキュメント・フィーダを単に「ＡＤＦ」と記載する。
【００２１】
また、複合機１は、原稿載置台２の上面に配設された読取ガラス（図示せず）の下方に、主走査方向（紙面垂直方向）に沿って配置される第１読取ユニット６ａを読取手段（第１の読取手段）として有している。この第１読取ユニット６ａは、ＣＩＳとＬＥＤ等の光源とから構成され、読取ガラス越しに写る原稿Ｐの読取面に光源から照射される光の反射光をＣＩＳによって受光し、原稿Ｐの読取面を１ラインずつ読み取るものである。
【００２２】
第１読取ユニット６ａは、副走査方向に往復移動可能であり、原稿載置台２に原稿Ｐを載置させて読み取りを行う場合には、第１読取ユニット６ａを副走査方向（矢印Ｙ方向）に移動させつつ、読取ガラス越しに写る原稿Ｐの読取面を１ラインずつ読み取る。また、ＡＤＦ４を用いる原稿Ｐの読み取りを行う場合には、第１読取ユニット６ａを、ＡＤＦ４により搬送される原稿Ｐを読み取り可能な所定位置に位置させ、ＡＤＦ４により原稿Ｐを矢印Ｙ’方向に搬送させながら、読取ガラス越しに写る原稿Ｐの読取面を１ラインずつ順次読み取る。
【００２３】
さらに、複合機１は、第１読取ユニット６ａと同様に構成される第２読取ユニット６ｂを読取手段（第２の読取手段）として有している。第２読取ユニット６ｂは、図１（ａ）に示すように、第１読取ユニット６ａから図示されない搬送経路を遡る側であって、第１読取ユニット６ａによる原稿Ｐの読取面とは反対側の面を読み取ることができる位置に固定配置されている。
【００２４】
複合機１は、２つの読取ユニット６ａ，６ｂが搬送経路に沿って設けられているので、ＡＤＦ４により原稿Ｐを搬送させながら、原稿Ｐの両面を一度に読み取ることができる。以下、第１読取ユニット６ａにより読み取られる原稿Ｐの読取面を「表面」と称し、第２読取ユニット６ｂにより読み取られる原稿Ｐの読取面を「裏面」と称する。
【００２５】
詳細は後述するが、本実施形態の複合機１は、ＡＤＦ４を用いた原稿Ｐの両面→両面コピーを行う場合に、原稿Ｐの裏面の読取データに地色補正をするかしないかを、第２読取ユニット６ｂによる読み取りによって得られた地色濃度値に基づいて決定した後、第１読取ユニット６ａによる読み取りによって得られた表面の地色濃度値が、裏面の地色濃度値を含む所定範囲内の値であれば、裏面の読取データに地色補正をするかしないかに合わせて、表面の読取データに地色補正をするかしないかを決定するように構成されている。
【００２６】
その一方で、原稿Ｐの表面の地色濃度値が、裏面の地色濃度値を含む所定範囲から外れた値であれば、裏面の読取データに地色補正をするかしないかは、裏面の地色濃度値と、地色補正を行うか否かを決めるための閾値との関係に基づいて決定されるように構成されている。
【００２７】
なお、複合機１は、記録紙への印刷が可能なプリンタ部１６（図１（ｂ）参照）や、複合機１への指示を入力可能な操作パネル１７（図１（ｂ）参照）などを有しているが、図１（ａ）では、これら一部構成の記載は省略している。
【００２８】
図１（ｂ）は、複合機１の電気的構成を示すブロック図である。図１（ｂ）に示すように、複合機１は、複合機１の全体の動作を制御するＣＰＵ１１と、そのＣＰＵ１１により実行される各種の制御プログラムや固定値データを記憶するＲＯＭ１２と、ＣＰＵ１２により実行される各種処理に必要なデータ等を一時的に記憶するＲＡＭ１３と、画像メモリ１４と、読取インターフェイス（読取Ｉ／Ｆ）１５と、その読取Ｉ／Ｆ１５に接続される第１読取ユニット６ａ及び第２読取ユニット６ｂと、ＡＤＦ４と、プリンタ部１６と、操作部とＬＣＤ等の表示部とから構成される操作パネル１７と、パーソナルコンピュータなどの外部装置との接続を可能とするインターフェイスであるＩ／Ｆ１８と有している。
【００２９】
複合機１は、操作パネル１７上の操作部からの指示入力に基づいて、入力された指示に基づく所定の動作を実行する。なお、複合機１は、Ｉ／Ｆ１８を介して接続される外部装置（例えば、パーソナルコンピュータ）から対応ドライバを介して送信される指示によっても動作する。
【００３０】
ＲＯＭ１２は、後述する両面→両面コピー処理（図３参照）を実行する画像読取プログラム１２ａを有している。ＲＡＭ１３は、第１読取ユニット６ａ又は第２読取ユニット６ｂによる読み取りにより得られた読取データを記憶するためのラインバッファ１３ａと、基準地色濃度値メモリ１３ｂと、補正係数メモリ１３ｃと、第１フラグ１３ｄと、第２フラグ１３ｅとを有している。
【００３１】
基準地色濃度値メモリ１３ｂは、基準とする原稿面（本実施形態では、原稿Ｐの裏面）に対して得られた地色濃度値を記憶するためのメモリであり、補正係数メモリ１３ｃは、原稿Ｐの読取データの地色を補正する際に使用される補正係数を記憶するためのメモリである。
【００３２】
第１フラグ１３ｄは、基準とする原稿面の読取データに対して地色補正を実行するか否かを示すフラグである。また、第２フラグ１３ｅは、基準としない原稿面、即ち、基準とする原稿面と比較する方の原稿面（本実施形態では、原稿Ｐの表面）の読取データに対して地色補正を実行するか否かを示すフラグである。これらのフラグ１３ｄ，１３ｅは、その値が「１」であれば、地色補正を実行することを示し、「０」であれば、地色補正を実行しないことを示す。
【００３３】
図２は、上述した構成を有する複合機１のＣＰＵ１１が実行する両面→両面コピー処理を示すフローチャートである。この両面→両面コピー処理は、ＡＤＦ４により搬送される原稿Ｐの両面を第１読取ユニット６ａ及び第２読取ユニット６ｂにより読み取り、得られた両面の読取データをプリンタ部１６において紙などの記録媒体に両面印刷する処理である。
【００３４】
図２の両面→両面コピー処理は、操作パネル１７上の操作部の操作、又は、Ｉ／Ｆ１８を介して接続される外部装置の操作により、両面→両面コピーの実行指示が入力されると起動し、ＣＰＵ１１は、ＡＤＦ４を駆動し、給紙トレイ３に置かれた原稿Ｐの搬送を開始する（Ｓ１）。次に、ＣＰＵ１１は、原稿Ｐの裏面の読み取り中であるか否かを判断する（Ｓ２）。なお、Ｓ２における「原稿Ｐの裏面の読み取り中」とは、ＡＤＦ４により搬送される原稿Ｐの端部が第２読取ユニット６ｂの読取位置に到達して、第２読取ユニット６ｂによる裏面の読み取りを始めるときから、裏面の読み取りが実行されている間を指す。
【００３５】
Ｓ２の判断が肯定される場合（Ｓ２：Ｙｅｓ）、ＣＰＵ１１は、原稿Ｐの裏面を第２読取ユニット６ｂによって１ライン分読み取り（Ｓ３）、その読み取りが１ライン目の読み取りであるか否かを判断する（Ｓ４）。
【００３６】
Ｓ４の判断が肯定される場合、即ち、１ライン目の読み取りであった場合（Ｓ４：Ｙｅｓ）、ＣＰＵ１１は、得られた１ライン目の読取データに基づいて、地色濃度値Ｄ１と補正係数Ｆ１とを算出する（Ｓ５）。ＣＰＵ１１は、Ｓ５において算出した地色濃度値Ｄ１を、基準とする原稿面の地色濃度値として基準地色濃度値メモリ１３ｂに記憶する。また、ＣＰＵ１１は、Ｓ５において算出した補正係数Ｆ１を、補正係数メモリ１３ｃに記憶する。
【００３７】
なお、地色濃度値Ｄ１は、例えば、１ライン目の読取データに含まれる画素の中から、輝度の高い順に所定数（例えば、１６）の画素を抽出し、抽出された画素の平均値を算出することによって得ることができる。また、補正係数Ｆ１は、地色補正値の最大値Ｄｍａｘ（例えば、２５５）を、地色濃度値Ｄ１で除することによって得ることができる。
【００３８】
次いで、ＣＰＵ１１は、地色濃度値Ｄ１と閾値Ｄｔｈとの比較を行い、Ｄｔｈ≦Ｄ１であるか否かを判断する（Ｓ６）。Ｓ６の判断が肯定される場合（Ｓ６：Ｙｅｓ）、ＣＰＵ１１は、第１フラグ１３ｄの値を「１」に設定し（Ｓ７）、読取データを補正係数Ｆ１で補正することにより地色補正を行い（Ｓ８）、補正後の読取データを、ラインバッファ１３ａにおける裏面の読取データを記憶する領域に記憶する（Ｓ９）。
【００３９】
その一方で、Ｓ６の判断が否定される場合（Ｓ６：Ｎｏ）、ＣＰＵ１１は、第１フラグ１３ｄの値を「０」に設定し（Ｓ２３）、処理をＳ９へ移行する。即ち、Ｄｔｈ＞Ｄ１である場合には、ＣＰＵ１１は、補正係数Ｆ１による補正（地色補正）を行うことなく、第２読取ユニット６ｂから得た読取データを、ラインバッファ１３ａにおける裏面の読取データを記憶する領域に記憶する。
【００４０】
また、Ｓ４の判断が否定される場合、即ち、２ライン目以降の読み取りであった場合（Ｓ４：Ｎｏ）、ＣＰＵ１１は、第１フラグ１３ｄの値が「１」であるか否かを判断する（Ｓ２２）。Ｓ２２の判断が肯定される場合（Ｓ２２：Ｙｅｓ）、ＣＰＵ１１は、処理をＳ８へ移行し、読取データを補正係数Ｆ１で補正した後、補正後の読取データをラインバッファ１３ａに記憶する。その一方で、Ｓ２２の判断が否定される場合（Ｓ２２：Ｎｏ）、ＣＰＵ１１は、処理をＳ９に移行し、補正係数Ｆ１による補正が施されていない読取データをラインバッファ１３ａに記憶する。
【００４１】
ＣＰＵ１１は、Ｓ９の処理を実行した後、原稿Ｐの表面の読み取り中であるか否かを判断する（Ｓ１０）。なお、Ｓ１０における「原稿Ｐの表面の読み取り中」とは、ＡＤＦ４により搬送される原稿Ｐの端部が第１読取ユニット６ａの読取位置に到達して、第１読取ユニット６ａによる表面の読み取りを始めるときから、表面の読み取りが実行されている間を指す。
【００４２】
また、Ｓ２の判断が否定される場合、即ち、原稿Ｐの裏面の読み取り中でないと判断される場合にも（Ｓ２：Ｎｏ）、ＣＰＵ１１は、処理をＳ１０へ移行し、原稿Ｐの表面の読み取り中であるか否かの判断を行う。
【００４３】
Ｓ１０の判断が肯定される場合（Ｓ１０：Ｙｅｓ）、ＣＰＵ１１は、原稿Ｐの表面を第１読取ユニット６ａによって１ライン分読み取り（Ｓ１１）、その読み取りが１ライン目の読み取りであるか否かを判断する（Ｓ１２）。Ｓ１２の判断が肯定される場合（Ｓ１２：Ｙｅｓ）、ＣＰＵ１１は、１ライン目の読取データに基づいて、地色濃度値Ｄ２と補正係数Ｆ２とを算出する（Ｓ１３）。地色濃度値Ｄ２及び補正係数Ｆ２の算出は、地色濃度値Ｄ１及び補正係数Ｆ１と同様に算出することができる。なお、ＣＰＵ１１は、Ｓ１３において算出した補正係数Ｆ２を、補正係数メモリ１３ｃに記憶する。
【００４４】
次いで、ＣＰＵ１１は、地色濃度値Ｄ２が、地色濃度値Ｄ１±α（例えば、入力濃度の階調数を２５５階調としたときに、α＝５程度であればよい。）の範囲内の値であるか否か、即ち、Ｄ１−α≦Ｄ２≦Ｄ１＋αを満たすか否かを判断する（Ｓ１４）。つまり、ＣＰＵ１１は、Ｓ１４において、原稿Ｐの表面の地色（地色濃度値Ｄ２）と、裏面の地色（地色濃度値Ｄ１）とが、同じ色又は近似する色であるか否かの判断を行う。
【００４５】
Ｓ１４の判断が肯定される場合、即ち、地色濃度値Ｄ２が（地色濃度値Ｄ１±α）の範囲内の値である場合（Ｓ１４：Ｙｅｓ）ＣＰＵ１１は、第１フラグ１３ｄの値が「１」であるか否かを判断する（Ｓ１５）。
【００４６】
Ｓ１５の判断が肯定される場合（Ｓ１５：Ｙｅｓ）、ＣＰＵ１１は、第２フラグ１３ｅの値を「１」に設定し（Ｓ１６）、読取データを補正係数Ｆ２で補正することにより地色補正を行い（Ｓ１７）、補正後の読取データを、ラインバッファ１３ａにおける表面の読取データを記憶する領域に記憶する（Ｓ１８）。
【００４７】
一方で、Ｓ１５の判断が否定される場合（Ｓ１５：Ｎｏ）、ＣＰＵ１１は、第２フラグ１３ｅの値を「０」に設定し（Ｓ２８）、処理をＳ１８へ移行する。即ち、補正係数Ｆ２による補正（地色補正）を行うことなく、第１読取ユニット６ａから得た読取データを、ラインバッファ１３ａにおける裏面の読取データを記憶する領域に記憶する。
【００４８】
つまり、原稿Ｐの表面の地色（地色濃度値Ｄ２）が、裏面の地色（地色濃度値Ｄ１）を含む所定範囲内の色、即ち、同じ色又は近似する色であり、それによって、Ｓ１４の判断が肯定される場合には、表面の読取データに対する地色補正（即ち、Ｓ１７の処理）は、裏面の読取データに対する地色補正が実行されると実行され、裏面の読取データに対する地色補正が実行されなければ実行されない。
【００４９】
一方、Ｓ１４の判断が否定される場合、即ち、地色濃度値Ｄ２が（地色濃度値Ｄ１±α）の範囲外の値である場合（Ｓ１４：Ｎｏ）、ＣＰＵ１１は、地色濃度値Ｄ２と閾値Ｄｔｈとの比較を行い、Ｄｔｈ≦Ｄ２であるか否かを判断する（Ｓ２６）。
【００５０】
Ｓ２６の判断が肯定される場合、即ち、Ｄｔｈ≦Ｄ２と判断される場合（Ｓ２６：Ｙｅｓ）、ＣＰＵ１１は、第２フラグ１３ｅの値を「１」に設定し（Ｓ１６）、読取データを補正係数Ｆ２で補正することにより地色補正を行い（Ｓ１７）、その後、処理をＳ１８へ移行する。
【００５１】
これに対し、Ｓ２６の判断が否定される場合、即ち、Ｄｔｈ＞Ｄ２と判断される場合（Ｓ２６：Ｎｏ）、ＣＰＵ１１は、第２フラグ１３ｅの値を「０」に設定し（Ｓ２７）、処理をＳ１８へ移行し、補正係数Ｆ２による補正（即ち、地色補正）が施されていない読取データをラインバッファ１３ａに記憶する。
【００５２】
このように、原稿Ｐの表面の地色（地色濃度値Ｄ２）が、裏面の地色（地色濃度値Ｄ１）を含む所定範囲外の色であり、それによって、Ｓ１４の判断が否定される場合には、地色濃度値Ｄ２が閾値Ｄｔｈを超えたか否かに応じて、表面の読取データに対して地色補正を行うか否かが決定される。
【００５３】
また、Ｓ１２の判断が否定される場合、即ち、２ライン目以降の読み取りであった場合（Ｓ１２：Ｎｏ）、ＣＰＵ１１は、第２フラグ１３ｅの値が「１」であるか否かを判断する（Ｓ２４）。Ｓ２４の判断が肯定される場合（Ｓ２４：Ｙｅｓ）、ＣＰＵ１１は、読取データを補正係数Ｆ２で補正することにより地色補正を行い（Ｓ２５）、処理をＳ１８へ移行し、補正後の読取データを、ラインバッファ１３ａにおける表面の読取データを記憶する領域に記憶する。一方、Ｓ２４の判断が否定される場合（Ｓ２４：Ｎｏ）、ＣＰＵ１１は、処理をＳ１８に移行し、補正係数Ｆ２による補正が施されていない読取データをラインバッファ１３ａに記憶する。
【００５４】
次いで、ＣＰＵ１１は、ＡＤＦ４により搬送される原稿Ｐの端部が第１読取ユニット６ａから外れ、両面の読み取りが終了したか否かを判断する（Ｓ１９）。また、Ｓ１０の判断が否定される場合、即ち、原稿Ｐの表面の読み取り中でないと判断される場合も（Ｓ１０：Ｎｏ）、処理をＳ１９へ移行し、原稿Ｐの読み取りが終了したか否かの判断を行う。
【００５５】
Ｓ１９の判断が否定される場合（Ｓ１９：Ｎｏ）、ＣＰＵ１１は、処理をＳ１に戻す。一方、Ｓ１９の判断が肯定される場合（Ｓ１９：Ｙｅｓ）、ＣＰＵ１１は、ラインバッファ１３ａに記憶されている読取データを表面及び裏面の順でプリンタ部１６に出力し、記録媒体への両面印刷を実行する（Ｓ２０）。
【００５６】
ＣＰＵ１１は、印刷処理（Ｓ２０）を実行した後、給紙トレイ３に次の原稿Ｐがあるか否かを判断する（Ｓ２１）。Ｓ２１の判断が肯定される場合（Ｓ２１：Ｙｅｓ）、ＣＰＵ１１は、処理をＳ１に戻し、ＡＤＦ４による次の原稿Ｐの搬送を開始する一方で、Ｓ２１の判断が否定される場合（Ｓ２１：Ｎｏ）、ＣＰＵ１１は、両面→両面コピー処理を終了する。
【００５７】
図３は、原稿Ｐの裏面に対して得られた地色濃度値Ｄ１と、表面に対して得られた地色濃度値Ｄ２と、原稿Ｐの各面に対する地色補正の実行の有無との関係を説明するための模式図である。
【００５８】
図３（ａ）及び図３（ｂ）は、原稿Ｐの表面に対して得られた地色濃度値Ｄ２が（地色濃度値Ｄ１±α）の範囲内の値である場合の例を示す。地色濃度値Ｄ２が（Ｄ１±α）の範囲内の値である場合には、原稿Ｐの表面に対する地色補正は、上述した両面→両面コピー処理（図２）におけるＳ１５の判断結果、即ち、原稿Ｐの裏面に対する地色補正を行うか否かに応じて決定される。
【００５９】
例えば、図３（ａ）に示すように、原稿Ｐの裏面に対して得られた地色濃度値Ｄ１が閾値Ｄｔｈ以上の値であり、裏面に対して地色補正が行われる場合には、地色濃度値Ｄ２と閾値Ｄｔｈとの大小とは関係なく、Ｓ１５の判断は肯定され、その結果、Ｓ１７の処理が実行される。よって、かかる場合には、地色濃度値Ｄ２が閾値Ｄｔｈ未満の値であるにもかかわらず、原稿Ｐの表面に対する地色補正が行われる。
【００６０】
一方で、図３（ｂ）に示す例のように、原稿Ｐの裏面に対して得られた地色濃度値Ｄ１が閾値Ｄｔｈ未満の値であり、裏面に対して地色補正が行われない場合には、地色濃度値Ｄ２と閾値Ｄｔｈとの大小とは関係なく、Ｓ１５の判断は否定され、その結果、Ｓ１７の処理は実行されない。よって、かかる場合には、地色濃度値Ｄ２が閾値Ｄｔｈ以上の値であるにもかかわらず、原稿Ｐの表面に対する地色補正は行われない。
【００６１】
即ち、本実施形態の複合機１によれば、原稿Ｐの表面の地色と裏面の地色とが同一又は所定範囲で近似する色である場合には、両面に地色補正をかけるか、又は、両面に地色補正をかけないかのいずれかとされる。その結果、両面→両面コピーを行った場合に、原稿Ｐの表面に対する印刷画像の背景色と、裏面に対する印刷画像の背景色とが不自然に異なることを防止できる。
【００６２】
図３（ｃ）及び図３（ｄ）は、原稿Ｐの表面に対して得られた地色濃度値Ｄ２が（地色濃度値Ｄ１±α）の範囲外の値である場合の例を示す。地色濃度値Ｄ２が（Ｄ１±α）の範囲外の値である場合には、原稿Ｐの表面に対する地色補正は、上述した両面→両面コピー処理（図２）におけるＳ２６の判断結果、即ち、地色濃度値Ｄ２が閾値Ｄｔｈ以上であるか否かに応じて決定される。
【００６３】
例えば、図３（ｃ）に示すように、原稿Ｐの表面に対して得られた地色濃度値Ｄ２が、（Ｄ１±α）の範囲外の値であり、かつ、閾値Ｄｔｈ以上の値である場合には、Ｓ２６の判断は肯定され、その結果、Ｓ１７の処理が実行される。よって、かかる場合には、原稿Ｐの裏面に対して得られた地色濃度値Ｄ１が閾値Ｄｔｈ未満の値であり、裏面に対する地色補正が行われなくても、表面に対する地色補正が行われる。
【００６４】
あるいは、例えば、図３（ｄ）に示すように、原稿Ｐの表面に対して得られた地色濃度値Ｄ２が、（Ｄ１±α）の範囲外の値であり、かつ、閾値Ｄｔｈ未満の値である場合には、Ｓ２６の判断は否定され、その結果、Ｓ１７の処理は実行されない。よって、かかる場合には、原稿Ｐの裏面に対して得られた地色濃度値Ｄ１が閾値Ｄｔｈ以上の値であり、裏面に対して地色補正が行われるとしても、表面に対する地色補正は行われない。
【００６５】
即ち、本実施形態の複合機１によれば、原稿Ｐの表面の地色と裏面の地色とが所定範囲を超えて異なる場合には、表面に地色補正をかけるか否かと、裏面に地色補正をかけるか否かとは、各面の地色に基づいて独立して決定される。そのため、原稿Ｐの表面の地色と裏面の地色とをそれぞれ生かした両面印刷物を得ることができる。
【００６６】
以上説明したように、本実施形態の複合機１によれば、１枚の原稿Ｐの表面と裏面とを各々異なる読取ユニット６ａ，６ｂで読み取るにもかかわらず、両面→両面コピーなど、表裏一対の出力画像を形成させる場合に、原稿Ｐの表面の地色及び裏面の地色にそれぞれ応じた自然な印刷画像を記録媒体の表裏に形成することができる。
【００６７】
次に、図４を参照して、第２実施形態について説明する。上述した第１実施形態では、１枚の原稿Ｐの両面の読取データから両面印刷（両面→両面コピー）を行ったが、第２実施形態では、２枚の原稿Ｐの各表面の読取データから両面印刷（片面→両面コピー）を行う。なお、上述した第１実施形態と同一の部分には同一の符号を付して、その説明は省略する。
【００６８】
図４は、複合機１のＣＰＵ１１が実行する片面→両面コピー処理を示すフローチャートである。この片面→両面コピー処理は、ＡＤＦ４により搬送される原稿Ｐの表面を第１読取ユニット６ａにより読み取り、奇数枚目の原稿Ｐの読取データと偶数舞目の原稿Ｐの読取データとを、プリンタ部１６において記録媒体（例えば、紙）に両面印刷する処理である。なお、この片面→両面コピー処理もまた、上述した第１実施形態の両面コピー処理と同様、画像読取プログラム１２ａにより実行される。
【００６９】
図４の片面→両面コピー処理は、操作パネル１７上の操作部の操作、又は、Ｉ／Ｆ１８を介して接続される外部装置の操作により、片面→両面コピーの実行指示が入力されると起動し、ＣＰＵ１１は、ＡＤＦ４による給紙トレイ３上の原稿Ｐの搬送を開始する（Ｓ１）。次に、ＣＰＵ１１は、ＣＰＵ１１は、原稿Ｐの表面の読み取り中であるか否かを判断し（Ｓ１０）、原稿Ｐの表面を第１読取ユニット６ａによって１ライン分読み取る（Ｓ１１）。
【００７０】
次に、ＣＰＵ１１は、第１読取ユニット６ａによって読み取り中の原稿Ｐが、地色補正の基準とする原稿であるか否かを判断する（Ｓ４１）。本実施形態では、地色補正の基準とする原稿を、奇数枚目（即ち、１枚目、３枚目、…、（２ｎ＋１）枚目；ｎは０以上の整数）の原稿Ｐとする。
【００７１】
Ｓ４１の判断が肯定される場合、即ち、読み取り中の原稿Ｐが地色補正の基準とする原稿である場合（Ｓ４１：Ｙｅｓ）、ＣＰＵ１１は、Ｓ１１で行った読み取りが１ライン目の読み取りであるか否かを判断する（Ｓ４）。Ｓ４の判断が肯定される場合（Ｓ４：Ｙｅｓ）、ＣＰＵ１１は、Ｓ５の処理を実行し、Ｓ５において算出された地色濃度値Ｄ１及び補正係数Ｆ１を、それぞれ、基準地色濃度値メモリ１３ｂ及び補正係数メモリ１３ｃに記憶する。
【００７２】
次いで、ＣＰＵ１１は、閾値Ｄｔｈ≦地色濃度値Ｄ１であるか否かを判断する（Ｓ６）。Ｓ６の判断が肯定される場合には（Ｓ６：Ｙｅｓ）、ＣＰＵ１１は、Ｓ７，Ｓ８の処理を実行する。次いで、ＣＰＵ１１は、Ｓ８において補正（即ち、地色補正）が施された読取データを、ラインバッファ１３ａに記憶する（Ｓ４２）。なお、ＣＰＵ１１は、Ｓ４２において、読み取り中の原稿Ｐが奇数枚目の原稿であれば、読取データをラインバッファ１３ａにおける表面印刷用の領域に記憶し、その一方で、読み取り中の原稿Ｐが偶数枚目の原稿であれば、読取データをラインバッファ１３ａにおける裏面印刷用の領域に記憶する。
【００７３】
その一方で、Ｓ６の判断が否定される場合（Ｓ６：Ｎｏ）、ＣＰＵ１１は、第１フラグ１３ｄの値を「０」に設定し（Ｓ２３）、その後、処理をＳ４２へ移行する。即ち、閾値Ｄｔｈ＞地色濃度値Ｄ１である場合には、ＣＰＵ１１は、補正係数Ｆ１による補正（地色補正）を行うことなく、第１読取ユニット６ａから得た読取データをラインバッファ１３ａに記憶する。
【００７４】
Ｓ４の判断が否定される場合（Ｓ４：Ｎｏ）、ＣＰＵ１１は、第１フラグ１３ｄの値が「１」であるか否かを判断する（Ｓ２２）。Ｓ２２の判断が肯定される場合（Ｓ２２：Ｙｅｓ）、ＣＰＵ１１は、処理をＳ８へ移行する。一方で、Ｓ２２の判断が否定される場合（Ｓ２２：Ｎｏ）、ＣＰＵ１１は、地色補正を行うことなく、処理をＳ４２へ移行する。
【００７５】
一方、Ｓ４１の判断が否定される場合、即ち、読み取り中の原稿Ｐが地色補正の基準とする原稿でない場合（Ｓ４１：Ｎｏ）、Ｓ１１で行った読み取りが１ライン目の読み取りであるか否かを判断する（Ｓ１２）。Ｓ１２の判断が肯定される場合（Ｓ１２：Ｙｅｓ）、ＣＰＵ１１は、Ｓ１３の処理を実行し、Ｓ１３において算出された補正係数Ｆ２を、補正係数メモリ１３ｃに記憶する。
【００７６】
次に、ＣＰＵ１１は、地色濃度値Ｄ２が、地色濃度値Ｄ１±αの範囲内の値であるか否か、即ち、Ｄ１−α≦Ｄ２≦Ｄ１＋αを満たすか否かを判断する（Ｓ１４）。Ｓ１４の判断が肯定される場合、即ち、地色濃度値Ｄ２が（地色濃度値Ｄ１±α）の範囲内の値である場合（Ｓ１４：Ｙｅｓ）、ＣＰＵ１１は、第１フラグ１３ｄの値が「１」であるか否かを判断する（Ｓ１５）。
【００７７】
Ｓ１５の判断が肯定される場合（Ｓ１５：Ｙｅｓ）、ＣＰＵ１１は、Ｓ１６、Ｓ１７の処理を実行した後、処理をＳ４２へ移行し、Ｓ１７において補正（即ち、地色補正）が施された読取データを、ラインバッファ１３ａに記憶する。一方で、Ｓ１５の判断が否定される場合（Ｓ１５：Ｎｏ）、ＣＰＵ１１は、Ｓ２８の処理を実行した後、地色補正を行うことなく、処理をＳ４２へ移行する。
【００７８】
Ｓ１４の判断が否定される場合、即ち、地色濃度値Ｄ２が、Ｄ１−α≦Ｄ２≦Ｄ１＋αを満たしていない場合（Ｓ１４：Ｎｏ）、ＣＰＵ１１は、Ｄｔｈ≦Ｄ２であるか否かを判断する（Ｓ２６）。Ｓ２６の判断が肯定される場合（Ｓ２６：Ｙｅｓ）、ＣＰＵ１１は、Ｓ１６、Ｓ１７の処理を実行した後、処理をＳ４２へ移行する。その一方で、Ｓ２６の判断が否定される場合（Ｓ２６：Ｎｏ）、ＣＰＵ１１は、Ｓ２７の処理を実行した後、処理をＳ４２へ移行する。
【００７９】
また、Ｓ１２の判断が否定される場合（Ｓ１２：Ｎｏ）、ＣＰＵ１１は、第２フラグ１３ｅの値が「１」であるか否かを判断する（Ｓ２４）。Ｓ２４の判断が肯定される場合（Ｓ２４：Ｙｅｓ）、ＣＰＵ１１は、Ｓ２５の処理を実行した後、処理をＳ４２へ移行し、Ｓ２５において補正（即ち、地色補正）が施された読取データを、ラインバッファ１３ａに記憶する。一方、Ｓ２４の判断が否定される場合（Ｓ２４：Ｎｏ）、ＣＰＵ１１は、地色補正を行うことなく、処理をＳ４２へ移行する。
【００８０】
ＣＰＵ１１は、Ｓ４２の処理を実行した後、ＡＤＦ４により搬送される原稿Ｐの端部が第１読取ユニット６ａから外れ、原稿Ｐの読み取りが終了したか否かを判断する（Ｓ４３）。
【００８１】
Ｓ１０の判断が否定される場合、即ち、原稿Ｐの表面の読み取り中でないと判断される場合も（Ｓ１０：Ｎｏ）、処理をＳ４３へ移行し、原稿Ｐの読み取りが終了したか否かの判断を行う。
【００８２】
Ｓ４３の判断が否定される場合（Ｓ４３：Ｎｏ）、ＣＰＵ１１は、処理をＳ１に戻す。一方、Ｓ４３の判断が肯定される場合（Ｓ４３：Ｙｅｓ）、読み取りが終了した原稿が、偶数枚目（即ち、２枚目、４枚目、…、２（ｎ＋１）枚目；ｎは０以上の整数）の原稿Ｐであるか否かを判断する（Ｓ４４）。Ｓ４４の判断が肯定される場合（Ｓ４４：Ｙｅｓ）、ラインバッファ１３ａに記憶されている読取データを表面印刷用及び裏面印刷用の順でプリンタ部１６に出力し、記録媒体への両面印刷を実行する（Ｓ２０）。
【００８３】
ＣＰＵ１１は、印刷処理（Ｓ２０）を実行した後、給紙トレイ３に次の原稿Ｐがあるか否かを判断する（Ｓ２１）。Ｓ２１の判断が肯定される場合（Ｓ２１：Ｙｅｓ）、ＣＰＵ１１は、処理をＳ１に戻し、ＡＤＦ４による次の原稿Ｐの搬送を開始する一方で、Ｓ２１の判断が否定される場合（Ｓ２１：Ｎｏ）、ＣＰＵ１１は、片面→両面コピー処理を終了する。
【００８４】
また、Ｓ４４の判断が否定される場合、即ち、読み取りの終了した原稿が奇数枚目の原稿Ｐであると判断される場合（Ｓ４４：Ｎｏ）、ＣＰＵ１１は、Ｓ２１と同様に、次の原稿Ｐがあるか否かを判定する（Ｓ４５）。Ｓ４５の判断が肯定される場合（Ｓ４５：Ｙｅｓ）、ＣＰＵ１１は、処理をＳ１に戻し、ＡＤＦ４による次の原稿Ｐの搬送を開始する。一方で、Ｓ２１の判断が否定される場合（Ｓ２１：Ｎｏ）、ＣＰＵ１１は、処理をＳ２０に移行し、ラインバッファ１３ａに表面印刷用として記憶されている読取データをプリンタ部１６に出力し、記録媒体への印刷を実行する。
【００８５】
以上説明したように、この第２実施形態によれば、２枚の原稿Ｐの各表面から両面印刷物を得る場合に、奇数枚目の原稿の地色と偶数枚目の原稿の地色とが同一又は所定範囲で近似する色であれば、両原稿に対して地色補正をかけるか、又は、両原稿とも地色補正をかけないかのいずれかとされる。その一方で、奇数枚目の原稿Ｐの地色と偶数枚目の原稿Ｐの地色とが所定範囲を超えて異なる場合には、両面印刷物の表面となる奇数枚目の原稿に対して地色補正をかけるか否かと、両面印刷物の裏面となる偶数枚目の原稿に対して地色補正をかけるか否かとは、各原稿の地色に基づいて独立して決定される。
【００８６】
よって、読取ユニット６ａによる読取値のばらつきが原因となって、両面印刷物の表面となる印刷画像の背景色と、裏面となる印刷画像の背景色とが不自然に異なってしまうことを防止し、各原稿Ｐの地色にそれぞれ応じた自然な印刷画像を記録媒体の表裏に形成することができる。
【００８７】
なお、上記各実施形態において、図２及び図４の各処理の中で実行されるＳ５の処理が、第１の値取得手段の一例に対応し、Ｓ６の処理が、第１の判定手段の一例に対応し、Ｓ８の処理が、第１の地色補正手段の一例に対応する。また、Ｓ１３の処理が、第２の値取得手段の一例に対応し、Ｓ１４の処理が、第２の判定手段の一例に対応する。また、Ｓ１７，Ｓ２５の処理が、第２の地色補正手段の一例及び第３の地色補正手段の一例に対応する。
【００８８】
以上、実施形態に基づき本発明を説明したが、本発明は上述した実施形態に何ら限定されるものでなく、本発明の趣旨を逸脱しない範囲内で種々の改良変形が可能であることは容易に推察できるものである。
【００８９】
例えば、上記第２実施形態では、奇数枚目の原稿Ｐを地色補正の基準としたことにより、片面→両面コピー処理（図４）におけるＳ４１の判断は、奇数枚目の原稿Ｐに対して肯定し、偶数枚目の原稿Ｐに対して否定する。つまり、偶数枚目の原稿Ｐの地色補正の有無は、その１枚前の原稿Ｐに基づいて決定される。
【００９０】
これに対し、特定の原稿Ｐ（例えば、１枚目の原稿Ｐ）を地色補正の基準として、それ以降に読み取りを行う原稿Ｐの地色補正の有無を決定するように構成してもよい。かかる構成を採用する場合にも、上述した片面→両面コピー処理（図４）を流用することができる。即ち、Ｓ４１の判断を、１枚目の原稿Ｐに対して肯定し、２枚目以降の原稿Ｐに対して否定するようにすればよい。
【００９１】
また、上記各実施形態では、ＡＤＦ４により搬送される原稿Ｐの両面コピーを行う構成としたが、原稿載置台２に載置される原稿から両面コピー（両面印刷）を行う構成にも適用することができる。例えば、奇数回目の読み取りによる読取データを地色補正の基準として、偶数回目の読み取りによる読取データに対する地色補正の有無を決定するようにしてもよい。
【００９２】
また、上記各実施形態では、２つの読取ユニット（第１読取ユニット６ａ、第２読取ユニット６ｂ）を有する複合機１を使用する構成としたが、１つの読取ユニットを有し、原稿を搬送中に反転させることにより両面を読み取る複合機において、先に読み取った面（例えば、表面）を地色補正の基準として、後に読み取る面（例えば、裏面）の地色補正の有無を決定するようにしてもよい。
【００９３】
また、上記各実施形態では、地色補正値Ｄ１，Ｄ２を算出する方法として、１ライン目の読取データに含まれる画素の中から、輝度の高い順に所定数の画素を抽出し、抽出された画素の平均値を地色補正値とする方法を例示したが、原稿Ｐの全面の読取データから地色補正値を算出する方法など、種々の方法で算出してもよい。
【００９４】
また、上記各実施形態の複合機１が実行する両面→両面コピー処理（図２）及び片面→両面コピー処理（図４）は、モノクロコピーに対しても、カラーコピーに対しても適用可能である。
【００９５】
また、地色補正を行うか否かのモードを設定可能に構成し、地色補正を行うモードが設定されている場合に限り、両面→両面コピー処理（図２）又は片面→両面コピー処理（図４）のＳ４〜Ｓ８，Ｓ２２，Ｓ２３，Ｓ１２〜Ｓ１７，Ｓ２４〜Ｓ２８の処理を実行する構成としてもよい。
【符号の説明】
【００９６】
１                複合機（画像読取装置の一例）
４                ＡＤＦ（搬送手段の一例）
６ａ              第１読取ユニット（読取手段の一例、第１の読取手段の一例）
６ｂ              第２読取ユニット（読取手段の一例、第２の読取手段の一例）
【図１】
2011077880.tif 000003
【図２】
2011077880.tif 000004
【図３】
2011077880.tif 000005
【図４】
2011077880.tif 000006
【図５】
2011077880.tif 000007